(57)【要約】【課題】防火用扉等に用いて好適な扉ロック用受け座及び扉ロック装置を提供する。  【解決手段】本発明は、扉２０に設けられ、該扉２０を格納位置に至らせたときに、該格納位置に設置された扉保持機構２２の係合ローラ２５に係合し、該係合ローラ２５と協働して扉２０を該格納位置にロックする扉ロック用受け座３０であって、扉２０を前記格納位置に至らせたときに、係合ローラ２５を受ける着座面３４を有する受け座本体３１と、該受け座本体３１の着座面３４前端側に設けられ、扉２０を格納する方向に移動させたときに、係合ローラ２５を乗越えさせ、かつ、該係合ローラ２５が着座面３４に着座したときに係合ローラ２５に係合可能な係合壁７０とを備え、該係合壁７０は、受け座本体３１に対し上下位置可変可能に支持されていることを特徴とする。【選択図】図１
2011117200.tif 000002
【特許請求の範囲】
【請求項１】
扉に設けられ、該扉を格納位置に至らせたときに、該格納位置に設置された扉保持機構の係合ローラに係合し、該係合ローラと協働して扉を該格納位置にロックする扉ロック用受け座であって、
前記扉を前記格納位置に至らせたときに、前記係合ローラを受ける着座面を有する受け座本体と、
該受け座本体の前記着座面前端側に設けられ、前記扉を格納する方向に移動させたときに、前記係合ローラを乗越えさせ、かつ、該係合ローラが前記着座面に着座したときに該係合ローラに係合可能な係合壁とを備え、
該係合壁は、前記受け座本体に対し上下位置可変可能に支持されていることを特徴とする扉ロック用受け座。
【請求項２】
請求項１に記載の扉ロック用受け座において、
前記係合壁の下方に配置され、該係合壁の下端部を支持する傾斜面を有し、水平方向に移動することにより前記係合壁を上下方向に追従させる移動体と、該移動体を水平方向に移動させる操作機構とを備えてなることを特徴とする扉ロック用受け座。
【請求項３】
請求項１又は２に記載の扉ロック用受け座において、
先端面が前記移動体に当接可能とされるとともに前記受け座本体に螺着されて後端面を回動操作可能な雄螺子と、前記係合壁を下方に付勢する第１の付勢部材とを備えていることを特徴とする扉ロック用受け座。
【請求項４】
開閉可能に支持された扉に設けられる請求項１から３のいずれかに記載の扉ロック用受け座と、
前記扉の格納位置に設けられ、該扉の格納時に前記受け座に係合ローラを係合させて該扉を格納位置に保持する扉保持機構とを備えてなることを特徴とする扉ロック装置。
【請求項５】
請求項４に記載の扉ロック装置において、
前記扉保持機構は、前記係合ローラが前記受け座に係合したときに、該係合ローラを前記着座面に押圧する第２の付勢部材を備えてなることを特徴とする扉ロック装置。
【発明の詳細な説明】
【技術分野】
【０００１】
本発明は、防火扉等に用いて好適な扉ロック用受け座及び扉ロック装置に関する。
【背景技術】
【０００２】
一般に、建築物の壁等に一側が回動自在に設けられた防火扉等は、通常時に、壁の近傍に設けられた格納位置に格納され、非常時に、該格納位置から閉方向（扉を格納位置から出す方向）に回動して、通路等を閉塞するようになっている。このような防火扉の設置構造においては、防火扉と建築物とに、係脱自在の保持手段として扉ロック装置が設けられ、通常時に、防火扉を格納位置に係止して保持するようになっている。
【０００３】
従来、この種の扉ロック装置としては、例えば下記特許文献１に記載されたものが提案されている。
【０００４】
すなわち、図６、図７は扉ロック装置の構成を示しており、図６において符号１は扉、２は扉の上部に設置された受け座、３は壁Ｗ側に設けられた係合ローラ４を有する扉保持機構である。受け座２と扉保持機構３は、扉ロック装置５を構成している。図６は、ヒンジにドアクローザ機能が備えられたオートヒンジ（不図示）により保持された扉１を壁Ｗ側に回動させ、扉１に設けられた受け座２に扉保持機構３の係合ローラ４を係合させた状態を示している。
【０００５】
図７は、扉保持機構３の構成を示しており、この扉保持機構３は、筐体６の一端に支持された係合ローラ４が、下方へ突出するように設けられたものであって、この係合ローラ４は、ソレノイド７を駆動源とし、駆動機構８を介して筐体６の開口部６ａから下方へ突出し、その突出下限位置が図７に示す位置に調整できるようになっている。この場合、この係合ローラ４の下方への下限位置は、不図示の調整螺子により駆動機構８を介して調整される。
【０００６】
図６に示すように、受け座２は、扉１の上面に固定された受け座本体１０と、この受け座本体１０に対して水平方向に接近・離間自在に配設された移動体１１と、この移動体１１に設けられた孔１２内に挿通され、かつ受け座本体１０に設けられた雌螺子部１３に螺着された雄螺子１４と、受け座本体１０と移動体１１との間に介在されたコイルバネ１５とを備えてなるものである。
【０００７】
移動体１１は、傾斜面１１ａと受け面１１ｂとを有する構成となっている。
この構成において、扉１を格納位置に至らせた場合には、係合ローラ４が受け座本体１０の傾斜面１０ａを乗越えて、受け座本体１０と移動体１１との間に嵌合するようになっている。係合ローラ４は、受け座本体１０の側面と移動体１１の傾斜面１１ａ及び受け面１１ｂ上に保持されて、受け座２及び扉１が係合ローラ４の位置する場所にロックされる構成となっている。
【０００８】
この場合、この種の扉ロック装置５は、不用意に扉のロックが解除されないようにロック強度を調整する必要がある一方、手動により意図的に扉を開放できるようにしておく必要があるため、係合ローラ４の下方へ突出位置を適切な位置に設定し、係合ローラ４と受け座２との位置関係を調整してロック強度を適切なレベルに設定する必要がある。そのために、扉ロック装置５は、雄螺子１４を回動することにより移動体１１の水平方向の位置を変更し、これによって係合ローラ４の傾斜面１１ａ上の位置を変化させて、係合ローラ４の上下位置を変更している。
【先行技術文献】
【特許文献】
【０００９】
【特許文献１】特開２０００−８７６３０号公報
【発明の概要】
【発明が解決しようとする課題】
【００１０】
ところで、上記従来の扉ロック装置５は、受け座２の構成として、受け座本体１０と移動体１１とを移動体１１の下方に配置された雄螺子１４より接近・離間させる構成であるため、受け座２の厚み寸法が大きくなり、薄型の受け座を用いている既設の防火扉への適用が困難であり、当該厚みの受け座に適用可能なように設計された防火扉にしか使えないという問題があった。
【００１１】
また、また、扉ロック装置５は、ロック強度の調整において移動体１１の水平方向の移動により傾斜面１１ａに当接した係合ローラ４を上下させる構成を採用しているため、主として該傾斜面１１ａにおいて係合ローラ４が保持されている状態となっている。したがって、扉１を格納位置から引っぱり水平方向の力を加えると、この力の分力が傾斜面１１ａにおいて上方に作用し、係合ローラ４が比較的容易に受け座本体１０を乗越えてしまうという問題があった。
【００１２】
また、扉ロック装置５の扉１は、通常大重量となるように形成されているため、扉１を開閉すると受け座２と係合ローラ４との係合の際に、移動体１１及び移動体１１を位置決めしている雄螺子１４に直接大きな荷重が掛かり、該雄螺子１４が徐々に変形してロック強度の調整が行えなくなってしまうという問題があった。
【００１３】
また、係合ローラ４の下限位置が定められているので係合ローラ４が下方に追従し難く、係合ローラ４が受け座２から離間しやすいという問題があり、また扉１は通常オートヒンジにより保持されており常に閉方向に付勢しているため、地震等で扉が上下に撓んだ場合には、ロックが緩みやすく、オートヒンジのドアクローズ機能による水平方向の力が傾斜面１１ａ上で上方に作用して、係合ローラ４が受け座本体１０の側面を簡単に乗越えて不用意にロックが解除されてしまうという問題があった。
そこで、本発明は、上記課題を解決するために以下の手段を提供している。
【課題を解決するための手段】
【００１４】
第１の発明は、扉に設けられ、該扉を格納位置に至らせたときに、該格納位置に設置された扉保持機構の係合ローラに係合し、該係合ローラと協働して扉を該格納位置にロックする扉ロック用受け座であって、前記扉を前記格納位置に至らせたときに、前記係合ローラを受ける着座面を有する受け座本体と、該受け座本体の前記着座面前端側に設けられ、前記扉を格納する方向に移動させたときに、前記係合ローラを乗越えさせ、かつ、該係合ローラが前記着座面に着座したときに該係合ローラに係合可能な係合壁とを備え、該係合壁は、前記受け座本体に対し上下位置可変可能に支持されていることを特徴とする。
【００１５】
第２の発明は、前記係合壁の下方に配置され、該係合壁の下端部を支持する傾斜面を有し、水平方向に移動することにより前記係合壁を上下方向に追従させる移動体と、該移動体を水平方向に移動させる操作機構とを備えてなることを特徴とする。
【００１６】
第３の発明は、先端面が前記移動体に当接可能とされるとともに前記受け座本体に螺着されて後端面を回動操作可能な雄螺子と、前記係合壁を下方に付勢する第１の付勢部材とを備えていることを特徴とする。
【００１７】
第４の発明は、開閉可能に支持された扉に設けられる本発明による扉ロック用受け座と、前記扉の格納位置に設けられ、該扉の格納時に前記受け座に係合ローラを係合させて該扉を格納位置に保持する扉保持機構とを備えてなることを特徴とする。
【００１８】
第５の発明は、前記扉保持機構は、前記係合ローラが前記受け座に係合したときに、該係合ローラを前記着座面に押圧する第２の付勢部材を備えてなることを特徴とする。
【発明の効果】
【００１９】
請求項１に記載の扉ロック用受け座によれば、着座面前端側に設けられた係合壁を上下方向に変位させることによって係合ローラと受け座のロック強度を調整するので、受け座の厚み寸法を大寸法とする必要がなく、受け座の厚みが小寸法に押さえられ、既設の薄型の受け座が適用されている防火扉等に適用することができるという効果を奏する。
【００２０】
また、係合ローラは、扉の格納時に受け座本体の着座面及び係合壁に当接しているため、扉に対し水平方向の力が加わっても係合ローラが係合壁を乗越えようとする上方への力が働き難く、ロックが解除され難いという効果を奏する。
【００２１】
また、扉の格納時において、扉が受け座に嵌合する際の荷重を係合壁が直接に受けないため、ロック強度の調整をする雄螺子及び雌螺子穴が損傷しにくいという効果を奏する。
【００２２】
請求項２に記載の扉ロック用受け座によれば、ロック強度の調整を行う構成として、係合壁とその上下位置を調整する操作機構とからなるシンプルな構成としたので、装置の構成が簡単で安価に提供できるという効果を奏する。
【００２３】
請求項３に記載の扉ロック用受け座によれば、係合ローラと受け座との係合強度、即ち扉のロック強度を雄螺子の回動操作により行うため、強度の調整を容易に行うことができるという効果を奏する。
【００２４】
また、請求項４に記載の扉ロック装置によれば、受け座の厚みが小寸法に押さえられた既設の防火扉等にも適用することができると共に、耐震強度が高く、ロック強度の調整が簡易であって、安価に提供でき、かつ雄螺子及び雌螺子穴が損傷し難いその費用を抑えることができるという効果が得られる。
【００２５】
また、請求項５に記載の扉ロック装置によれば、地震等により扉が上下に撓んで係合ローラと扉に設けた受け座との間に相対変位が生じた場合にも、付勢部材により係合ローラが常に受け座に追従して離間が生じにくいため、不用意に係合ローラが係合壁を乗越え、ロックが解除されてしまうという問題を回避することが出来るという効果を奏する。
【図面の簡単な説明】
【００２６】
【図１】は、本発明の実施形態として示した扉ロック装置の縦断面図である。
【図２】は、本発明の実施形態として示した扉ロック装置における受け座の平面図である。
【図３】は、本発明の実施形態として示した扉ロック装置における受け座の底面図である。
【図４】は、本発明の実施形態として示した扉ロック装置における受け座要部の拡大断面図である。
【図５】（ａ）、（ｂ）は、扉ロック装置における受け座要部の拡大断面図であって、係合壁の動作を説明するための説明図である。
【図６】は、従来の扉ロック装置の縦断面図である。
【図７】は、従来の扉ロック装置の扉保持機構を示す側断面図である。
【発明を実施するための形態】
【００２７】
以下、図を参照して本発明による扉ロック装置の実施形態について説明する。
図１は、本発明の一実施形態として示した扉ロック装置Ｐを示す図であり、符号２０は扉、２１は壁、２２はケーシング２３を介して壁２１に固定された扉保持機構である。
【００２８】
図１は、不図示のオートヒンジにより閉方向（矢印Ａ方向）に付勢している扉２０を格納位置に至らせ、ロックした状態を示している。
扉保持機構２２は、前述した図７に示すものと略同様の構成を有している。係合ローラ２５については、扉保持機構３と異なり、係合ローラ２５が受け座３０に対する上下位置を調整されることなくスプリング２６（第２の付勢部材）により下方向へ付勢されており、常時受け座３０を押圧するように構成されている。
【００２９】
扉２０の上端部２７には、凹所２８が形成されており、この凹所２８内には受け座３０が設けられている。この受け座３０は、扉２０の凹所２８内の取付フレーム２０ａの上面に図示しない螺着手段により固定されている。受け座３０の詳細は図２から図５に示されている。
図２、図５に示すように、符号３１で示す受け座本体には、その後端寄り略中央部に立上り壁部３２が設けられており、更に、立上り壁部３２の前端部側には凹所３３が設けられている。凹所３３の上面は、前記係合ローラ２５を着座させる着座面３４とされている。着座面３４は、平坦な水平面に形成されている。
【００３０】
図２、図４に示すように、凹所３３の前端寄り部分には立上り壁部３５が形成されており、更に前端寄り部分には前端壁部３７が形成されている。前端壁部３７と立上り壁部３５との間には幅方向に細長かつ上下方向に貫通する孔３８が形成されている。前端壁部３７の後端側下面には、図４に示すように凹所４０が形成されている。
【００３１】
凹所４０は、受け座本体３１の幅方向中央部においては、図５（ａ）、（ｂ）に示すように高さ寸法が同一の空間とされているが、受け座本体３１の幅方向の左右両端部側においては、図４に示すように、前端の高さ寸法の小さい空間４０ａと、空間４０ａの後端側に形成され、該空間４０ａよりも高さ寸法を大とした空間部４０ｂと、空間４０ｂの更に後端側に形成され、該空間４０ｂよりも高さ寸法を大とした空間部４０ｃとからなっている。
【００３２】
前端壁部３７の上面は、その前端部が前端へ向かうに従い漸次下る傾斜面３７ａとされている。
また、前端壁部３７の中央部には、図２及び図５（ａ）、（ｂ）に示すように、その先端側から後端側へ向けて雌螺子孔５０が形成されている。
また更に、図３に示すように、受け座本体３１の底面には、前後方向に向けてリブ５１、５２が形成されており、更に底部前壁部５３が形成されている。リブ５１、５２間は溝５４となっている。
【００３３】
また、この受け座本体３１には、取付孔５５、５６が形成されている。
図３、図５（ａ）、（ｂ）に示すように、上記の受け座本体３１の前記溝５４及び凹所４０には、移動体６０が配置されており、孔３８に係合壁７０が上下位置可変可能に挿入配置されている。この状態において、係合壁７０は、受け座本体３１により移動可能に支持されることになる。
【００３４】
移動体６０は、外観Ｔ字状に形成されたものであり、基部６１が溝５４内に嵌合され、頭部６２が凹所４０内に配置されている。
【００３５】
頭部６２は、図５（ａ）、（ｂ）に示すように、凹所４０内において上方へ立ち上がる立上り壁部６３を備えており、この立上り壁部６３は、前端側から後方側へ向けて下る傾斜面６３ａを備えている。
【００３６】
また、孔３８内に配置された係合壁７０は、矩形の板体であり、図４に示すように左右に係合孔７１を備えている。また、係合壁７０の着座面３４側を向く後端面７０ａは、図５（ａ）、（ｂ）に示すように、着座面３４に対して垂直かつ係合ローラ２５の移動方向に対して直交する方向を向いている。
【００３７】
この係合壁７０下端部は、前記移動体６０の傾斜面６３ａ上に位置している。また前記凹所４０内には、受け座本体３１の左右両端部側に、図４に示すようにバネ（第１の付勢部材）７３が配置されており、このバネ７３は、その巻回部７３ａを前記空間部４０ｂに位置させた状態で、その一端が係合壁７０の係合孔７１内に係合され、他端が空間部４０ａ内に係合されている。
【００３８】
この構成の下に、係合部７０は、常時バネ７３により下方へ付勢されており、図５（ａ）、（ｂ）に示すようにその下端が常時移動体６０の傾斜面６３ａに接している。
また、前端壁部３７の雌螺子孔５０には、雄螺子８０が螺着されており、この雄螺子８０の先端面は移動体６０の先端面に当接可能となっている。
【００３９】
ここで、図５（ａ）に示すように、係合壁７０が移動体６０の傾斜面６３ａの最下端に位置している状態において、雄螺子８０を回動操作して移動体６０を後方、即ち矢印Ａ方向に移動させると、係止壁７０が移動体６０の移動に伴って、傾斜面６３ａに従って上方へ移動し、最終的に同図（ｂ）に示すように傾斜面６３ａの最上端に至ることになる。
【００４０】
したがって、このように雄螺子８０を操作することによって係合壁７０を上方へ移動させることが出来ることになる。
【００４１】
また、図５（ｂ）に示す状態から雄螺子８０を操作して、雄螺子８０を前端側へ移動させると、移動体６０が雄螺子８０側へ移動可能な状態となる。ここで、係合壁７０はバネ７３により下方へ付勢されているので、この係合壁７０が移動体６０の傾斜面６３ａを押圧することによって移動体６０が雄螺子８０の後退する量に応じて前方へ移動することになる。したがって、雄螺子８０を更に前端側へ回動操作して図５（ａ）の状態まで後退させると係合壁７０が傾斜面６３ａを押圧しつつ傾斜面６３ａの最下端に至ることになる。
かくして、雄螺子８０の操作によって、係合壁７０を上下に移動させることができ、その上下方向の位置を調整することができる。
【００４２】
上記の構成において、移動体６０、バネ７３及び雄螺子８０は、係合壁７０の上下位置を調整する操作機構９０を構成している。
【００４３】
次に、上記のように構成された扉ロック装置Ｐの作用について説明する。
この扉ロック装置はＰ、図１に示すように扉２０を格納位置に置いた状態においては、係合ローラ２５が受け座３０の着座面３４上に位置していることになるが、この際、受け座３０に対する係合ローラ２５の位置は調整されておらず、スプリング２６により最大に突出させた状態とされているので、受け座３０に着座させた場合、係合ローラ２５は着座面３４に常時接し、かつ押圧するように配置されている。
【００４４】
この状態において、例えば、扉２０を格納されていない閉位置から図１に示す格納位置に移動させた場合には、まず扉２０が移動することによって係合ローラ２５が受け座本体３１の前端壁部３７の傾斜面３７ａに当接し、扉２０が更に移動することによって係合ローラ２５が傾斜面３７ａを乗り上げ、更に前端壁部３７の上面を転動し、更に係合壁７０を乗越えて凹所３３内に嵌合し、その下面が着座面３４に当接する。ここで係合ローラ２５は、凹所３３内に位置すると共に、立上り壁部３２、係合壁７０によって水平方向の移動が規制されることになる。この状態において、係合ローラ２５と受け座３０との嵌合が完了し、扉２０がその位置にロックされることになる。
【００４５】
次に、このロック状態を解除して扉２０を任意に開放するには、扉２０を操作して矢印Ａ方向に引き出す。この場合、係合ローラ２５が係合壁７０を乗越え、更に前端壁部３７を乗越えることによって前記ロックが解除され扉を開放することが出来る。
【００４６】
この場合、上記の扉ロック装置Ｐにおいては、係合壁７０の上下方向の高さを適宜設定することによって、ロックを解除する際の係合ローラ２５と受け座３０との係合強度を適切な状態に設定することが出来る。
【００４７】
すなわち、図５（ａ）、（ｂ）において、雄螺子８０を回動操作することにより、移動体６０を水平方向に移動させて係合壁７０の高さ位置を適宜調整する。
これによって、係合ローラ２５が係合壁７０を乗越える高さ位置が変更され、係合ローラ２５と受け座３０との係合強度を調整できるのである。
【００４８】
また、係合ローラ２５が常時着座面３４に付勢されているので、例えば地震等が発生した場合に、係合ローラ２５と着座面３４とが常に接した状態で扉２０の動きに係合ローラ２５が追従することになり、係合ローラ２５と着座面３４とが離れることなく、また、オートヒンジのドアクローズ機能によって扉２０に水平方向の力が働いても係合ローラ２５の移動方向に対し直交する面７０ａを有した係合壁７０によって水平方向の力を抑えて、不用意に係合ローラ２５が係合壁７０及び前端壁部３７を乗越えることがなく、ロックが解除されにくい。
【００４９】
以上、説明したように、扉ロック装置Ｐによれば、受け座３０の構成について、着座面３４の前端側に設けられた係合壁２５を移動体６０の傾斜面６３ａ上で上下方向に変位させることによって係合ローラ２５と受け座３０とのロック強度を調整するので、受け座３０の厚み寸法を大寸法とすることなく、所期の作用を得ることができ、厚みを小寸法に抑えながら、既設の薄型の受け座が適用されている防火扉２０等に適用することができるという効果が得られる。
【００５０】
また、係合ローラ２５は、扉２０の格納時に受け座本体３１の水平な着座面３４及び鉛直方向かつ係合ローラ２５の移動方向に直交する壁面を有する係合壁７０に当接しているため、扉２０に対し水平方向の力が加わっても係合ローラ２５が係合壁７０を乗越えようとする上方への力が働き難く、ロックが不用意に解除され難いという効果が得られる。
【００５１】
また、係合ローラ２５と受け座３０との係合強度、即ち扉２０のロック強度を雄螺子８０の回動操作により行うため、強度の調整を容易に行うことができるという効果が得られる。
【００５２】
また、扉２０の格納時において、係合壁７０が扉２０の荷重を直接に受けないため、ロック強度の調整をする雄螺子８０及び雌螺子穴５０が損傷しにくいという効果を奏する。
【００５３】
また、ロック強度の調整を行う構成として、係合壁７０とその上下位置を調整する操作機構９０とからなるシンプルな構成としたので、装置の構成が簡単で安価に提供できるという効果が得られる。
【００５４】
また、操作機構９０も、バネ７３と雄螺子８０と移動体６０とからなる構成であり、簡単な構成で係合壁７０を確実に上下動操作ができるという効果が得られる。
【００５５】
また、地震等により扉が上下に撓んで係合ローラ２５と扉２０に設けた受け座３０との間に相対変位が生じた場合にも、スプリング２６により係合ローラ２５が常に受け座３０に追従して離間が生じないため、不用意に係合ローラ２５が係合壁７０を乗越え、ロックが解除されてしまうという問題を回避することが出来るという効果が得られる。
【００５６】
また更に、係合壁７０の高さ調整によるロック強度の調整と、係合ローラ２５を付勢させる機能が互いに連関していないため、それぞれ各個に容易に調整することが出来るという効果が得られる。
【符号の説明】
【００５７】
２０  扉
２２  扉保持機構
２５  係合ローラ
２６  スプリング（第２の付勢部材）
３０  受け座
３１  受け座本体
３４  着座面
６０  移動体
６３ａ  傾斜面
７０  係合壁
７３  バネ（第１の付勢部材）
８０  雄螺子
９０  操作機構
【図１】
2011117200.tif 000003
【図２】
2011117200.tif 000004
【図３】
2011117200.tif 000005
【図４】
2011117200.tif 000006
【図５】
2011117200.tif 000007
【図６】
2011117200.tif 000008
【図７】
2011117200.tif 000009